(57)【要約】【課題】一対の軒樋の端部間からの接着剤の漏れ出しを防止しつつ、軒樋と内継手部材との間にその周方向に連続した接着剤層を確実に形成させて良好な止水性を備えることのできる軒樋の接続構造を提供する。【解決手段】左右に隣接した一対の軒樋１，１に跨るように内継手部材２を軒樋１内に嵌合する。各軒樋１，１に重なる内継手部材２の外面の左右の両側部に接着剤塗布面部３をそれぞれ設ける。各接着剤塗布面部３における内継手部材２の左右中央側の端部に内継手部材２の周方向に亘って接着剤塗布面部３に接着剤５を塗布する際のガイドとなるガイド用突条４を設ける。【選択図】図１
2007315104.tif 000002
【特許請求の範囲】
【請求項１】
左右に隣接した一対の軒樋に跨るように内継手部材を軒樋内に嵌合し、各軒樋に重なる内継手部材の外面の左右の両側部に接着剤塗布面部をそれぞれ設け、各接着剤塗布面部における内継手部材の左右中央側の端部に内継手部材の周方向に亘って接着剤塗布面部に接着剤を塗布する際のガイドとなるガイド用突条を設けたことを特徴とする軒樋の接続構造。
【請求項２】
ガイド用突条を、内継手部材と軒樋とに弾接する弾性材で構成したことを特徴とする請求項１に記載の軒樋の接続構造。
【請求項３】
接着剤塗布面部における内継手部材の左右端側の端部にも、内継手部材の周方向に亘って接着剤塗布面部に接着剤を塗布する際のガイドとなるガイド用突条を設けたことを特徴とする請求項１または２に記載の軒樋の接続構造。
【発明の詳細な説明】
【技術分野】
【０００１】
本発明は、軒樋の接続構造に関するものである。
【背景技術】
【０００２】
従来から、軒樋の接続構造として、図８のように、左右に隣接した一対の軒樋１，１に跨るように内継手部材２を軒樋１内に嵌合し、各軒樋１，１に重なる内継手部材２の外面の左右の両側部に接着剤塗布面部３をそれぞれ設け、各接着剤塗布面部３に塗布した接着剤５で内継手部材２と各軒樋１，１とをそれぞれ固着させることは、たとえば特許文献１にあるように知られている。
【０００３】
ここで、接着剤５は内継手部材２及び各軒樋１，１をその周方向に亘って接着させるようにすると、内継手部材２と各軒樋１，１との間の止水材としても機能させることができる。接着剤５の接着剤塗布面部３への塗布作業は現場施工で行われるのであるが、上記接着剤５を止水材として機能させるべく接着剤５の塗布量を多くすると図８のように一対の軒樋１，１の端部間から接着剤５が漏れ出す恐れがあり、一対の軒樋１，１の端部間からの接着剤５の漏れを回避するべく接着剤５の塗布量を少なくすると、図９のように塗布した接着剤５に途切れ部分６が生じたりして、この接着剤５の途切れ部分６で止水が切れて止水材として機能できない恐れがあった。
【０００４】
詳しくは、図１０のように内継手部材２と軒樋１とを重ねて密着させた際には、内継手部材２と軒樋１との間で接着剤５は潰されて四方に広がる。ここで、塗布した接着剤５の途切れ部分６を繋げて接着剤５を内継手部材２や軒樋１の周方向に連続させるには、接着剤５は内継手部材２や各軒樋１，１の周方向に広がればよいのであるが、上記のように潰された接着剤５は途切れ部分６を埋めるのに特に有効ではない左右方向（軒樋の隣接する方向）にも広がってしまうから、接着剤５の途切れ部分６を有効に埋めることはできないのであった。
【特許文献１】特開２００３−６４８３３号公報
【発明の開示】
【発明が解決しようとする課題】
【０００５】
本発明は上記の従来の問題点に鑑みて為したものであって、一対の軒樋の端部間からの接着剤の漏れ出しを防止しつつ、軒樋と内継手部材との間にその周方向に連続した接着剤層を確実に形成させて良好な止水性を備えることのできる軒樋の接続構造を提供することを課題とするものである。
【課題を解決するための手段】
【０００６】
上記課題を解決するために本発明の請求項１に係る軒樋の接続構造は、左右に隣接した一対の軒樋１，１に跨るように内継手部材２を軒樋１内に嵌合し、各軒樋１，１に重なる内継手部材２の外面の左右の両側部に接着剤塗布面部３をそれぞれ設け、各接着剤塗布面部３における内継手部材２の左右中央側の端部に内継手部材２の周方向に亘って接着剤塗布面部３に接着剤５を塗布する際のガイドとなるガイド用突条４を設けたことを特徴とする。
【０００７】
これによると、ガイド用突条４をガイドとして接着剤塗布面部３に塗布した接着剤５はすなわちガイド用突条４に沿うように塗布されるのであって、たとえ塗布した接着剤５に途切れ部分６があっても、軒樋１と内継手部材２とを密着させた際に潰されて四方に広がる接着剤５の一部がガイド用突条４に堰き止められた後にガイド用突条４に沿って伸びるようになり、つまり接着剤５の途切れ部分６が上記周方向に伸びる接着剤５によって有効に埋められるようになり、内継手部材２や軒樋１の周方向に連続する接着剤層５ａを確実に形成できるのであり、しかして、内継手部材２と軒樋１との間をその周方向に連続した接着剤層５ａによって確実に止水できる。また、接着剤５はガイド用突条４よりも内継手部材２の左右中央側に広がることなく堰き止められるから、軒樋１の端部間から接着剤５が漏れ出すことも確実に防止できる。
【０００８】
また、請求項２に係る軒樋の接続構造は、請求項１において、ガイド用突条４を、内継手部材２と軒樋１とに弾接する弾性材で構成したことを特徴とする。これによると、軒樋１と内継手部材２との間をその周方向に亘るガイド用突条４によって止水することができ、つまり接着剤５とガイド用突条４とで軒樋１と内継手部材２との間に２重の止水を施すことができ、軒樋１の接続部分の止水性能を向上できる。
【０００９】
また、請求項３に係る軒樋の接続構造は、請求項１または２において、接着剤塗布面部３における内継手部材２の左右端側の端部にも、内継手部材２の周方向に亘って接着剤塗布面部３に接着剤５を塗布する際のガイドとなるガイド用突条４を設けたことを特徴とする。これによると、軒樋１と内継手部材２とを密着させた際に潰されて四方に広がろうとする接着剤５は、接着剤塗布面部３の左右の両端部に設けた２条のガイド用突条４によって、より周方向に向けて伸びるようになり、しかして、より確実に内継手部材２や軒樋１の周方向に連続する接着剤層５ａを形成させて止水性の向上を図ることができる。
【発明の効果】
【００１０】
本発明は、一対の軒樋の端部間からの接着剤の漏れ出しを防止しつつ、軒樋と内継手部材との間にその周方向に連続した接着剤層を確実に形成させて良好な止水性を備える、という利点を有する。
【発明を実施するための最良の形態】
【００１１】
以下、本発明を添付図面に示す実施形態に基いて説明する。
【００１２】
図１乃至図４に本発明の実施の形態の例を示す。本例の軒樋１の接続構造は、図１のように、左右に隣接した一対の軒樋１，１に跨るように内継手部材２を軒樋１内に嵌合し、各軒樋１，１に重なる内継手部材２の外面の左右の両側部に接着剤塗布面部３をそれぞれ設け、各接着剤塗布面部３に塗布した接着剤５で内継手部材２と各軒樋１，１とをそれぞれ固着させることで、一対の軒樋１，１を一直線上に接続させたものである。
【００１３】
詳しくは、図２のように、長尺の軒樋１は、建物の外方側に面して位置する前壁１０、建物の内方側に面して位置する後壁１１、前壁１０と後壁１１の各下端を接続する底壁１２によって断面略Ｕ字状に主体が構成されており、前壁１０の上端部には軒樋１の内側に突出形成した前耳部１３が設けられ、後壁１１の上端には軒樋１の内側に突出形成した後耳部１４が設けられている。なお、上記左右方向はすなわち軒樋１の長手方向と同方向であり、後述の周方向は前壁１０から底壁１２を経て後壁１１に至る方向を言うものとする。
【００１４】
内継手部材２は、軒樋１と同様、前壁２０、後壁２１及び底壁２２によって断面略Ｕ字状に主体が構成されており、前壁２０の上端部には軒樋１の前耳部１３に係止する前耳係止部２３が設けられ、後壁１１の上端部には軒樋１の後耳部１４に係止する後耳係止部２４が設けられている。内継手部材２はその外面形状が軒樋１の内面形状と略同形状に施されており、つまり前耳係止部２３を軒樋１の前耳部１３に係止させると共に後耳係止部２４を軒樋１の後耳部１４に係止させて内継手部材２を軒樋１内に嵌合させたときには、内継手部材２は軒樋１の内面にその外面を押圧させるように嵌合するようになっている。
【００１５】
上述のように左右に隣接した一対の軒樋１，１に跨るように内継手部材２を軒樋１内に嵌合した際、内継手部材２の外面における上記左右方向の両側部には各軒樋１，１が重なるように位置するのであるが、この各軒樋１，１が重なる内継手部材２の外面における上記左右方向の両側部には、接着剤５を塗布する接着剤塗布面部３が内継手部材２の周方向に亘って設けられている。
【００１６】
この接着剤塗布面部３における内継手部材２の左右の中央側の端部には、接着剤５を塗布する際のガイドとなるガイド用突条４が設けられている。ガイド用突条４は接着剤塗布面部３と同様に、内継手部材２の周方向に連続するように設けられている。ガイド用突条４の接着剤塗布面部３に臨む側の内継手部材２の外面からの立ち上がり面が接着剤５のガイド面４ａとなる。つまり、接着剤塗布面部３に塗布した接着剤５は、図３のように、上記ガイド面４ａに近接するようにガイド用突条４に沿って位置するようになる。
【００１７】
上記のように内継手部材２の接着剤塗布面部３に接着剤５を塗布した後、この内継手部材２は一対の軒樋１，１を接続させるべく、一対の軒樋１，１に跨せるように軒樋１内に嵌合させるのであり、このときには上記のように内継手部材２の外面が軒樋１の内面に向けて押圧するようになり、図４のように接着剤塗布面部３に塗布した接着剤５は内継手部材２の外面と軒樋１の内面とによって潰されて四方（左右方向及び周方向）に広がるようになる。ここで、上記のように接着剤５はガイド用突条４に沿うように接着剤塗布面部３に塗布されているので、図４（ｃ）のように、潰されてガイド用突条４側（内継手部材２の左右の中央側）に広がる接着剤５はガイド用突条４のガイド面４ａによって堰き止められるのであってガイド用突条４のガイド面４ａに沿って周方向に伸びるようになる（矢印Ａ）。
【００１８】
接着剤５の内継手部材２の接着剤塗布面部３への塗布は周方向に連続して行われるべきであるが、現場施工により行われる接着剤５の塗布作業によると施工ミスなどから、接着剤５が周方向に不連続的に（途切れ部分６を発生させて）塗布されてしまうこともあるが、上述のように接着剤５はガイド用突条４のガイド面４ａに沿って周方向に伸びるようになるから、図４（ｂ）のようにこの周方向に伸びる接着剤５によって途切れ部分６を埋めることができ、確実に周方向に連続した接着剤層５ａを形成できるのである。このように本例の軒樋１の接続構造では、周方向に連続して形成した接着剤層５ａで各軒樋１，１と内継手部材２とを接着しているので、この周方向に連続して形成された接着剤層５ａによって各軒樋１，１と内継手部材２との間の止水が可能にされているのである。
【００１９】
なお、本例では隣接する一対の軒樋１，１を内部で嵌合させた内継手部材２だけを用いて接続させているのであって、軒樋１の外面側はそのまま外観に露出していて、軒樋１の内部で使用された接着剤５が上記突き合わされた一対の軒樋１，１の端面間から外方に漏れ出てくる恐れのある構造となっている。しかしながら、本例では、接着剤塗布面部３における内継手部材２の左右中央側の端部に内継手部材２の周方向に亘ってガイド用突条４が設けられているので、接着剤５はガイド用突条４によって堰き止められてそれ以上内継手部材２の左右の中央側に広がることはないようにされている。一対の軒樋１，１の端面間はガイド用突条４よりも内継手部材２の左右の中央側に位置しているから、一対の軒樋１，１の端面間からの接着剤５の外方への漏れ出しが生じないようにされており、軒樋１の接続構造の良好な外観も確保されている。
【００２０】
なお、ガイド用突条４は製造性を鑑みて内継手部材２の外面に一体に成形しても良いが、本例のガイド用突条４は内継手部材２とは別体の帯状の弾性体を内継手部材２の外面に装着することで構成されている。すなわち、内継手部材２と軒樋１とを接続させた際に、弾性体で構成されたガイド用突条４は内継手部材２の外面と軒樋１の内面とにそれぞれ弾接可能になっている。しかして、軒樋１と内継手部材２との間をその周方向に亘るガイド用突条４によって止水することができ、つまり、接着剤５とガイド用突条４とで軒樋１と内継手部材２との間に２重の止水を施すことができ、軒樋１の接続部分に良好な止水性能が確保されている。無論、潰されて広がる接着剤５がガイド用突条４を乗り越えて内継手部材２の左右中央側に漏れることも有効に防止できる、という利点も備えるものである。
【００２１】
また、図５乃至図７には本発明の実施の形態の他例を示す。先の実施の形態の例と同様部位には同符号を付して説明を省き、異なる部位につき説明をする。本例では、図５のように、先例の接着剤塗布面部３における内継手部材２の左右の中央側の端部に設けたガイド用突条４に加えて、接着剤塗布面部３における内継手部材２の左右端側の端部にもガイド用突条４を設けている。つまり、内継手部材２の左右の両側に設けた各接着剤塗布面部３は、図６のように、それぞれ接着剤塗布面部３の左右から一対のガイド用突条４，４で囲まれるようになっている。しかして、接着剤塗布面部３に接着剤５を塗布する際には、接着剤５は上記一対のガイド用突条４，４の間に一対のガイド用突条４，４に沿わせるよってガイドさせて塗布するのであり、内継手部材２と軒樋１とを近接させて上記塗布した接着剤５を潰して広げた際には、図７のように、左右方向に広がる接着剤５が一対のガイド用突条４，４の対向する一対のガイド面４ａ，４ａにて堰き止められてこれらガイド面４ａ，４ａに沿って周方向に伸びるようになる。このように本例は内継手部材２と軒樋１とで潰されて左右両側に広がる接着剤５を一対のガイド用突条４，４によって周方向に伸ばすことができるから、先例に比べてもより確実に周方向に連続した接着剤層５ａを形成できるようにされている。なお詳しくは、本例では、上記内継手部材２と軒樋１とで潰された接着剤５は接着剤塗布面部３の略全面に行きわたるように一対のガイド用突条４，４の間に略隙間無く充填されるようになっている。また、これらガイド用突条４はいずれも上述した弾性体で構成しているため、軒樋１の接続部分では周方向に連続する接着剤層５ａと一対のガイド用突条４，４とによる３重の止水構造が形成されて良好な止水性能が確保されている。
【図面の簡単な説明】
【００２２】
【図１】本発明の実施の形態の例の軒樋の接続部分の断面斜視図である。
【図２】同上の分解斜視図である。
【図３】同上の内継手部材に接着剤を塗布した状態を示す軒樋の接続部分の側断面図である。
【図４】同上の内継手部材を軒樋に嵌合させた状態であり、（ａ）は軒樋の接続部分の側断面図であり、（ｂ）は（ａ）の平面図であり、（ｃ）は接着剤の広がりを説明する要部の平面図である。
【図５】本発明の実施の形態の他例の軒樋の接続部分の断面斜視図である。
【図６】同上の内継手部材に接着剤を塗布した状態を示す軒樋の接続部分の側断面図である。
【図７】同上の内継手部材を軒樋に嵌合させた状態であり、（ａ）は軒樋の接続部分の側断面図であり、（ｂ）は（ａ）の平面図である。
【図８】従来技術の例の軒樋の接続部分の断面斜視図である。
【図９】同上の内継手部材に接着剤を塗布した状態であり、（ａ）は軒樋の接続部分の平面図であり、（ｂ）は（ａ）のＢ−Ｂ線断面図である。
【図１０】同上の内継手部材を軒樋に嵌合させた状態であり、（ａ）は軒樋の接続部分の平面図であり、（ｂ）は（ａ）のＣ−Ｃ線断面図である。
【符号の説明】
【００２３】
１  軒樋
２  内継手部材
３  接着剤塗布面部
４  ガイド用突条
４ａ  ガイド面
５  接着剤
５ａ  接着剤層
【図１】
2007315104.tif 000003
【図２】
2007315104.tif 000004
【図３】
2007315104.tif 000005
【図４】
2007315104.tif 000006
【図５】
2007315104.tif 000007
【図６】
2007315104.tif 000008
【図７】
2007315104.tif 000009
【図８】
2007315104.tif 000010
【図９】
2007315104.tif 000011
【図１０】
2007315104.tif 000012